(57)【要約】      （修正有）【課題】本考案は、握力を使うことなく手の位置を保持することができ、抱っこの体勢を補助して着用者の負担を軽減することができる差込部付上衣を提供し、また、本考案は、手を保持する位置に把持部を表出させることなく、デザインの自由度が高い差込部付上衣を提供する。【解決手段】両袖を有した上衣本体１０と、この上衣本体１０に設けられる差込部と、を備え、前記差込部は、前記上衣本体１０の生地に切れ込み部を設けることにより形成され、少なくとも１つの指を差し込める構成であることを特徴とする構成となっている。【選択図】図２
0003207584.tif 000002
【実用新案登録請求の範囲】
【請求項１】
両袖を有した上衣本体と、
この上衣本体に設けられる差込部と、を備え、
前記差込部は、前記上衣本体の生地に切れ込み部を設けることにより形成され、少なくとも１つの指を差し込める構成であることを特徴とする、差込部付上衣。
【請求項２】
前記切れ込み部は、上腕位置周辺に設けられる上腕切れ込み部を有していることを特徴とする、請求項１に記載の差込部付上衣。
【請求項３】
前記上衣本体は、長袖に形成されており、
前記切れ込み部は、前腕位置周辺に設けられる前腕切れ込み部を有していることを特徴とする、請求項１又は請求項２に記載の差込部付上衣。
【請求項４】
前記切れ込み部は、肩口位置周辺に設けられる肩口切れ込み部と、
脇下位置周辺に設けられる脇下切れ込み部と、
腰横位置周辺に設けられる腰横切れ込み部と、をさらに有していることを特徴とする、請求項１〜３の何れかに記載の差込部付上衣。
【請求項５】
前記上衣本体の袖口周辺には、袖口把持部が設けられていることを特徴とする、請求項１〜４の何れかに記載の差込部付上衣。
【請求項６】
前記袖口把持部は、前記袖口に接続される基端と、自由端と、を有し、
前記袖口には、前記自由端を固定する固定手段が設けられていることを特徴とする、請求項５に記載の差込部付上衣。
【請求項７】
前記上衣本体の背中周辺には、背中把持部又は背中切れ込み部が形成されていることを特徴とする、請求項１〜６の何れかに記載の差込部付上衣。
【請求項８】
前記差込部は、前記上衣本体の内側に袋部を有していることを特徴とする、請求項１〜７の何れかに記載の差込部付上衣。
【請求項９】
把持部を有する着脱可能な把持部付補助ベルトをさらに備えたことを特徴とする、請求項１〜８の何れかに記載の差込部付上衣。
【考案の詳細な説明】
【技術分野】
【０００１】
本考案は、上衣に手を差し込む差込部を設けたことを特徴とする差込部付上衣に関する。
【背景技術】
【０００２】
通常、用具等を使用せずに子供を抱っこする場合には、片腕に子供の両足又は尻を載せ、もう一方の腕で子供の背中等を支えるようにして抱きかかえている。しかしながら、このような抱き方では、子供が成長し活発になってくる約１歳頃（１０ｋｇ以上）に達すると、一日中定期的な抱っこ、長時間の抱っこ（抱っこしないと寝ない、泣き喚くなど）を求められることが多くなり、腕や手、肩への負担が大きく、体力的に子供の要望を満たすことが難しいのが実状である。
【０００３】
さらに、子供が成長して自分の足で歩けるようになってくると、活発に動き回りたいという欲求と、抱っこしてもらいたいという欲求とが、入れ代わり立ち代わり出てくるようになる。そのため、子供は抱っこ中に動き回りたいと感じて抱っこを嫌がったり、動きまわっている最中に親の肌を恋しく感じて抱っこをせがんだりする。
【０００４】
このような頻繁に抱っこをせがまれる状況において、子供の要求に応えるには、子供を抱っこする動作と子供を抱っこから降ろす動作（以下、抱き降ろしの動作という）を、頻繁に繰り返し行うこととなる。そのため、親への負担は極めて大きいものになってしまうという問題があった。
【０００５】
このような状況を鑑みて、本願の考案者は、抱き降ろしの動作をスムーズに行うことができ、抱っこの体勢を補助して着用者の負担を軽減することができる把持部付上衣を提案し、既に特許出願を行っている（特許文献１）。
【０００６】
この特許文献１の把持部付上衣は、上衣の袖部やわき腹の位置に帯状の把持部を複数設け、子供を抱っこした時に把持部を掴むことにより、腕に直接掛かる負荷を分散させて着用者の負担を軽減することができるよう構成されている。
【０００７】
さらに、この特許文献１の把持部付上衣は、子供を抱っこしない時には普段着用している服と同じように着用して過ごすことができる。そして、抱っこする時には子供を抱え込むだけで容易に抱っこの体勢にうつることができ、把持部を離すだけで抱っこを解くことができる。このように、抱き降ろしの動作をスムーズに行うことができるため、着用者の負担を軽減すると共に子供の落下事故のリスクを低減することができる。
【０００８】
なお、この特許文献１に係る把持部付上衣は、子供の抱っこだけでなく、大きな荷物を持ち上げる際や、この荷物を保持する際に適用することができることが示されている。
【先行技術文献】
【特許文献】
【０００９】
【特許文献１】特許第５９４６０５１号公報
【考案の概要】
【考案が解決しようとする課題】
【００１０】
しかしながら、特許文献１に係る把持部付上衣においては、帯状の把持部を掴むことで腕を支持する構成となっているので、手の平で把持部を握って固定する必要があった。このように把持部を掴むことにより、よりしっかりと子供をホールドすることができる。一方で、握力の弱い女性や老人等は、長期間の間、把持部を握り続けることは負担であり、疲れてしまうという問題があった。
【００１１】
また、特許文献１に係る把持部付上衣においては、把持部が上衣の外側に表出する構成となっているため、衣服のデザインが制限されてしまうという問題があった。すなわち、特許文献１に係る把持部付上衣のデザインにおいては、外側から見える位置に把持部を設ける必要があり、例えば、すっきりとしたデザインの上衣を作成したい場合には、把持部が障害となってしまう場合が生じる。そのため、上衣のデザインの自由度が低くなってしまい、より多くの着用者の好みに対応することが難しいという問題があった。
【００１２】
本考案は、上記実情に鑑み、握ることなく手の位置を保持することができ、抱っこの体勢を補助して着用者の負担を軽減することができる差込部付上衣を提供することを課題とする。
また、本考案は、手を保持する位置に把持部を表出させることなく、デザインの自由度が高い差込部付上衣を提供することを課題とする。
【課題を解決するための手段】
【００１３】
上記課題を解決するため、本考案に係る差込部付上衣は、両袖を有した上衣本体と、この上衣本体に設けられる差込部と、を備え、前記差込部は、前記上衣本体の生地に切れ込み部を設けることにより形成され、少なくとも１つの指を差し込める構成であることを特徴とする。
【００１４】
このように、上衣本体の生地に切れ込み部を有した差込部を備えることにより、握る動作を行うことなく抱っこの体勢を補助して、着用者の負担を軽減することができる。すなわち、この切れ込み部に指又は手を差し込むだけで、指や手首の重力方向側が切れ込み部の一端と引っかかり、自然に指又は手が差込部位置に保持されることとなる。
【００１５】
また、このように上衣本体の生地に切れ込み部を形成する構成とすることにより、上衣のデザインの幅を大幅に広げることができる。すなわち、切れ込み部に指又は手を差し込む構成としたことにより、把持部等が上衣の表面に露出しないため、通常の上衣と同様にデザインを行うことができる。
【００１６】
本考案の好ましい形態では、前記切れ込み部は、上腕位置周辺に設けられる上腕切れ込み部を有していることを特徴とする。
このように、上腕位置周辺に切れ込み部を形成することにより、抱っこの体勢で楽に子供や荷物を支持することができる。
【００１７】
本考案の好ましい形態では、前記上衣本体は、長袖に形成されており、前記切れ込み部は、前腕位置周辺に設けられる前腕切れ込み部を有していることを特徴とする。
このように、長袖の前腕位置周辺に切れ込み部を形成することにより、様々な体勢で子供や荷物を支持することができる。
【００１８】
本考案の好ましい形態では、前記切れ込み部は、肩口位置周辺に設けられる肩口切れ込み部と、脇下位置周辺に設けられる脇下切れ込み部と、腰横位置周辺に設けられる腰横切れ込み部と、をさらに有していることを特徴とする。
このように、肩口位置周辺と脇下位置周辺と腰横位置周辺に切れ込み部を形成することにより、様々な体勢で子供や荷物を支持することができる。
【００１９】
本考案の好ましい形態では、前記上衣本体の袖口周辺には、袖口把持部が設けられていることを特徴とする。
このように、袖口周辺に袖口把持部を形成することにより、様々な体勢で子供や荷物を支持することができる。
【００２０】
本考案の好ましい形態では、前記袖口把持部は、前記袖口に接続される基端と、自由端と、を有し、前記袖口には、前記自由端を固定する固定手段が設けられていることを特徴とする。
このように、袖口把持部の自由端を上衣本体の半袖に固定する固定手段を有することにより、袖口把持部を使用しないときには、自由端が動かないよう固定することができる。
【００２１】
本考案の好ましい形態では、前記差込部は、前記上衣本体の内側に袋部を有していることを特徴とする。
このように、差込部は袋部を有していることにより、着用者の手にかかる負担を軽減することができる。また、ポケットとして使用することも可能となる。
【００２２】
本考案の好ましい形態では、前記上衣本体の背中周辺には、背中把持部又は背中切れ込み部が形成されていることを特徴とする。
このように、背中把持部又は背中切れ込み部を有することにより、抱っこされる人（被介護者）が捕まることにより、着用者が抱き上げる動作を補助することができる。
【００２３】
本考案の好ましい形態では、把持部を有する着脱可能な把持部付補助ベルトをさらに備えたことを特徴とする。
このように、把持部付補助ベルトを着脱可能とすることにより、把持部付補助ベルトを必要な時にだけ装着することができるため、上衣のデザインの妨げになることを防止することができる。
【考案の効果】
【００２４】
本考案は、握ることなく手の位置を保持することができ、抱っこの体勢を補助して着用者の負担を軽減することができる差込部付上衣を提供することができる。
また、本考案は、手を保持する位置に把持部を表出させることなく、デザインの自由度が高い差込部付上衣を提供することができる。
【図面の簡単な説明】
【００２５】
【図１】本考案の実施形態１に係る差込部付上衣の使用状態を示す正面図である。
【図２】本考案の実施形態１に係る差込部付上衣の外形を示す図である。
【図３】本考案の実施形態１に係る差込部付上衣の切れ込み部の拡大図である。
【図４】本考案の実施形態１に係る差込部付上衣の袖口の拡大図である。
【図５】本考案の実施形態２に係る差込部付上衣の斜視図である。
【図６】本考案の実施形態３に係る差込部付上衣の背面図である。
【図７】本考案の実施形態４に係る差込部付上衣の外形を示す図である。
【考案を実施するための形態】
【００２６】
以下、本考案を図面に示した好ましい実施形態１〜４について詳細に説明する。本考案の技術的範囲は、添付図面に示した実施形態に限定されるものではなく、特許請求の範囲に記載された範囲内において、適宜変更が可能である。
【００２７】
＜実施形態１＞
本考案の実施形態１に係る差込部付上衣Ａは、長袖の上衣本体１０と、この上衣本体１０に設けられる複数の差込部２０と、袖口１１ａに設けられる袖口把持部３０と、を備えている。
【００２８】
この差込部付上衣Ａは、図１に示すように、子供Ｙを抱っこする際や大きな荷物を運搬する際に、差込部付上衣Ａの着用者Ｘが任意の差込部２０に、指や手を差し込むことにより、着用者Ｘの腕への負担を軽減するものである。図１（ａ）は脇下に位置する脇下差込部２０ｄに指を差し込むことで、図１（ｂ）は前腕周辺位置に配置される前腕差込部２０ｃに手首を差し込むことで、腕への負担を軽減している様子を示している。
【００２９】
図２は実施形態１に係る差込部付上衣Ａの外形を示しており、図２（ａ）は正面図を、図２（ｂ）は側面図を示している。
上衣本体１０は、この図２に示すように、袖１１が設けられており、この袖１１は長袖に形成されている。図１及び図２においては、上衣本体１０として、襟付きャツを示したが、長袖の上衣であるアウターウェアであればよく、例えば、ティーシャツやカットソー、ジャケット、コート、セーター、カーディガン、チュニック、スウェット等を例示することができる。また、この上衣本体１０の材料としては、洗濯可能な布地等で形成されていることが望ましいが、通常アウターウェアに使用される材料であれば当然に利用することができる。
【００３０】
差込部２０は、切れ込み部２１と、この切れ込み部２１と接続される袋部２２と、を有している。すなわち、この差込部２０は、全体としてポケット状に構成されており、この袋部２２内に小物を収納することも可能である。
【００３１】
切れ込み部２１は、上衣本体１０の生地に切れ込みを設けることで形成されており、切れ込み部２１の両端部は、負荷がかかっても破れてしまわないよう、補強されていることが望ましい。この切れ込み部２１は、少なくとも１つの指を差し込める長さに形成されており、複数の指を挿入可能な長さに形成されていてもよいし、手首が挿入可能な長さに形成されていてもよい。また、周辺位置に複数の切れ込み部２１を設けて、各指が別々に挿入できるように構成することも可能である。
【００３２】
袋部２２は、図３に示すように、切れ込み部２１の開口長さに合わせた袋口が形成されており、この切れ込み部２１と接続してポケット状に形成されている。この袋部２２の袋口には、固定手段２３を設けてもよく、この差込部２０を利用しない時には固定手段２３によって差込部２０が開かないよう固定可能に構成されていることが望ましい。この袋部２２は、指や手の平が十分に奥まで入るように、３ｃｍ〜７ｃｍ程度の深さを有していることが望ましい。また、図２及び図３では、着用者の前面に向かって袋部２２が深くなるように設置されているが、反対方向である後面に向かって深くなるように配置されていてもよい。その場合には、図１（ａ）及び図１（ｂ）に示すように、着用者の手の指先が背中に向かうように差し込まれることとなる。すなわち、袋部２２の向きは、上衣本体１０の前面方向にも後面方向にも設定することができ、指や手の平をフック状にしてひっかけるときは前面方向に、指や手の平をストレートにして差し込むときは後面方向に倒されている。
【００３３】
差込部２０は、子供Ｙを抱っこしたり荷物を抱える際に、補助があると好ましい位置に配置されており、例えば、肩口周辺位置に設けられる肩口差込部２０ａと、上腕周辺位置に設けられる上腕差込部２０ｂと、前腕周辺位置に設けられる前腕差込部２０ｃと、脇下周辺位置に設けられる脇下差込部２０ｄと、腰横周辺位置に設けられる腰横差込部２０ｅと、を有している。
【００３４】
肩口差込部２０ａは、肩口の上面側に設けられており、肩口差込部２０ａの一端が首側に、他端が上腕側に、それぞれ配置されている。
上腕差込部２０ｂは、上腕外側面側に設けられており、上腕差込部２０ｂの一端が肩口側に、他端が肘側に、それぞれ配置されている。
前腕差込部２０ｃは、前腕背側面側に設けられており、前腕差込部２０ｃの一端が肘側に、他端が手首側に、それぞれ配置されている。また、この前腕差込部２０ｃは、袖口１１ａと平行な切れ込みとなるように形成してもよい（図１（ｂ）参照）
【００３５】
脇下差込部２０ｄは、脇の下から腰にかかる部分に設けられており、脇下差込部２０ｄの一端が脇の下側に、他端が腰側にそれぞれ固定されている。
腰横差込部２０ｅは、腰の側面位置に設けられており、腰横差込部２０ｅの一端が脇の下側に、他端が大腿側にそれぞれ固定されている。
また、脇下差込部２０ｄ及び腰横差込部２０ｅは、着用者が差し込みやすいように、上衣本体１０の後ろ身頃側に設けられていることが望ましい。
なお、これらの差込部２０は、着用者の指や手が差し込みやすいよう、切れ込み部２１の角度や、袋部２２の深さ等、適宜変更することができる。
【００３６】
袖口把持部３０は、図４に示すように、袖口１１ａに固定される基端と、自由端と、を有し、袖口１１ａから手指の方向に延びるように形成されている。この袖口把持部３０は、袖口１１ａから垂れるように設けられているため、袖口１１ａから離れた箇所で把持することができる。そして、この袖口把持部３０と袖１１には、袖口把持部３０を袖１１に固定するための固定手段３１が設けられている。
【００３７】
固定手段２３，３１として、図３及び図４においては、スナップボタンを例示したが、面ファスナーやボタン等の慣用手段を採用することが当然に可能である。なお、図４においては、固定手段３１を袖１１の内側に設けた例を示したが、これに限られず、袖１１の外側に設けても良い。
【００３８】
本考案によれば、上衣本体１０の生地に切れ込み部２１を形成することにより、この切れ込み部２１に指や手を差し込むだけで、握力の弱い人でも疲れることなく抱っこの体勢を補助して、着用者の負担を軽減することができる。すなわち、この差込部２１に指又は手を差し込むことにより、指や手の付け根部分の重力方向側が、切れ込み部２１の縁部に引っかかり、自然に指又は手首が保持されることとなる。その結果、握る動作を行うことなく、腕に掛かる負荷を上半身全体に分散させることができ、長時間疲れずに子供を抱っこすることができる。
【００３９】
さらに、この切れ込み部２１は、指や手の平を引っ掛けるほかに、特許文献１の把持部と同様に掴むこともできる。すなわち、切れ込み部２１に親指以外の４本指を差し込み、親指と４本指とで切れ込み部２１を握ることができる。そのため、子供Ｙをしっかり抱きたいときは握り、疲れた時には差し込んで保持する、といったように、着用者の状況に応じて選択することができる。
【００４０】
また、本考案によれば、切れ込み部２１に接続する袋部２２を有することにより、指や手首にかかる負担を軽減することができる。すなわち、切れ込み部２１を設けただけでは、指や手首と切れ込み部２１の縁部とが接触する一か所のみに力が集中してしまい、指や手首を痛めてしまう恐れがある。そこで、袋部２２を設け、袋部２２の内側に指や手首が接触する構成とすることにより、指や手を大面積で受け止めることができ、力を分散させることができる。さらに、この袋部２２は、小物を収納するポケットとして使用することもできる。
【００４１】
また、本考案によれば、差込部２０を切れ込み部２１により形成することにより、上衣のデザインの幅を大幅に広げることができる。すなわち、切れ込み部２１に指又は手首を差し込む構成としたことにより、把持部等が上衣本体１０の表面に露出しない。そのため、通常の上衣と同じように、高い自由度で上衣のデザインを行うことができる。
【００４２】
また、本考案によれば、切れ込み部２１に固定手段２３を設けたことにより、切れ込み部２１が勝手に開いて、裏地が見えてしまうことを抑制し、上衣のデザインを損なってしまうことを防止することができる。すなわち、着用者が動くたびに上衣本体１０の生地に力がかかり、切れ込み部２１が開く可能性があるが、固定手段２３を設けることにより、切れ込み部２１の開口部を固定して、裏地等が露出してしまうことを抑制することができる。
【００４３】
本考案によれば、袖口把持部３０は、袖口１１ａに固定される基端と、自由端と、を有し、袖口１１ａから腕の肘方向に延びるように形成されてことにより、より様々な体勢で子供や荷物を支持することができる。すなわち、袖から離れたところに袖口把持部３０を形成することができるため、身長の高い子供Ｙや大きな荷物を抱える際にも対応することができる。
【００４４】
本実施形態によれば、固定手段３１によって袖１１に袖口把持部３０の自由端を固定することにより、袖口把持部３０を使用しない時に自由端が動いてしまうことを防ぐことができる。すなわち、袖口把持部３０を使用しない時に、袖口把持部３０の自由端が固定されていない場合には、着用者Ｘの手の平に向かって垂れ下がっているため、着用者が動くたびに自由端が手の平に接触して煩わしく感じてしまう場合がある。そのため、固定手段３１を設けることにより、自由端が手の平に接触することを防いで、煩わしさを解消することができる。
【００４５】
＜実施形態２＞
以下、本考案の実施形態２に係る差込部付上衣Ｂについて、図５を参照して詳細に説明する。この実施形態２に係る差込部付上衣Ｂは、先の実施形態１に係る差込部付上衣Ａとは異なり、半袖の上衣本体を備えることを特徴とする。なお、同実施形態において、先の実施形態と基本的に同一の構成要素については、同一の符号を付してその説明を簡略化する。
【００４６】
本考案の実施形態２に係る差込部付上衣Ｂは、図３に示すように、半袖の袖４１を有する上衣本体４０と、この上衣本体４０に設けられる複数の差込部２０と、袖口４１ａに設けられる袖口把持部３０と、を備えている。
このように、半袖の上衣本体４０においても、本考案を適用することが可能である。そのため、夏など熱い時期に適用可能な差込部付上衣を提供することができる。
【００４７】
＜実施形態３＞
以下、本考案の実施形態３に係る把持部付上衣Ｃについて、図６を参照して詳細に説明する。この実施形態３に係る把持部付上衣Ｃは、上衣本体１０の背中周辺位置に設けられる背中把持部２３ｆ又は背中差込部２０ｆをさらに備えることを特徴とする。なお、同実施形態において、先の実施形態と基本的に同一の構成要素については、同一の符号を付してその説明を簡略化する。
【００４８】
本考案の実施形態３に係る把持部付上衣Ｃは、図５に示すように、上衣本体１０（４０）の背中周辺位置に設けられる背中把持部２３ｆ又は背中差込部２０ｆを備えている。
【００４９】
背中把持部２３ｆは、手で把持することが可能な形状であれば良く、帯状や環状、紐状のものを例示することができる。図６（ａ）に示すように、帯状の背中把持部２３ｆを用いる場合には、背中把持部２３ｆの両端を上衣本体１０に固定して取り付けることが望ましい。また、背中把持部２３ｆは、縫い付けて固定されることが望ましいが、接着材等の接着手段を用いても良い。
【００５０】
背中差込部２０ｆは、前述した差込部２０と同様に、切れ込み部２１ｆと、この切れ込み部２１ｆと接続される袋部２２ｆと、を有している。すなわち、この差込部２０ｆは、全体としてポケット状に構成されている。
【００５１】
本実施形態によれば、例えば、着用者Ｘが被介護者Ｚを移動させる際等に、被介護者Ｚが背中把持部２３ｆもしくは背中差込部２０ｆを持つことにより、介護者である着用者Ｘのサポートを行うことができる。また、図６においては、上衣本体１０が長袖の場合を例示したが、半袖の上衣本体４０にも当然に適用することができる。
【００５２】
＜実施形態４＞
以下、本考案の実施形態４に係る把持部付上衣Ｄについて、図７を参照して詳細に説明する。この実施形態４に係る把持部付上衣Ｄは、把持部付補助ベルト５０をさらに備えることを特徴とする。なお、同実施形態において、先の実施形態と基本的に同一の構成要素については、同一の符号を付してその説明を簡略化する。
【００５３】
本考案の実施形態４に係る差込部付上衣Ｄは、長袖の上衣本体１０と、この上衣本体１０に設けられる複数の差込部２０と、上衣本体１０の腰周辺に巻かれる着脱可能な把持部付補助ベルト５０と、を備えている。
【００５４】
この把持部付補助ベルト５０は、ベルト本体５１と、このベルト本体５１に設けられる複数のベルト把持部５２と、を有している。
ベルト本体５１は、通常のベルトと同様に高い強度を有する材料で形成されており、着脱可能な構成となっている。
ベルト把持部５２は、ベルト本体５１の外周位置に配置されており、被介護者Ｚが把持して、着用者Ｘをサポート可能なよう構成されている。
【００５５】
本実施形態によれば、把持部付補助ベルト５０を備えることにより、被介護者Ｚの身長や腕の長さに応じて、被介護者Ｚが捕まるベルト把持部５２の高さ調節を行うことができる。すなわち、把持部付補助ベルト５０を巻きつける位置を調節することにより、より胸に近い高さにベルト把持部５２を配置させたり、腰下の高さにベルト把持部５２を配置させることができる。このように、把持部付補助ベルト５０を備えることにより、被介護者Ｚの体型にあった位置にベルト把持部５２を配置することができる。
【００５６】
本実施形態によれば、把持部付補助ベルト５０は着脱可能に構成されているため、把持部付補助ベルト５０が必要ない場合には取り外すことにより、上衣のデザインをすっきり保つことができる。
【符号の説明】
【００５７】
Ａ、Ｂ、Ｃ、Ｄ  差込部付上衣
１０  上衣本体
１１  袖
１１ａ  袖口
２０  差込部
２１  切り込み部
２２  袋部
３０  袖口把持部
４０  上衣本体
５０  把持部付補助ベルト
Ｘ  着用者
Ｙ  子供
Ｚ  被介護者
【図１】
0003207584.tif 000003
【図２】
0003207584.tif 000004
【図３】
0003207584.tif 000005
【図４】
0003207584.tif 000006
【図５】
0003207584.tif 000007
【図６】
0003207584.tif 000008
【図７】
0003207584.tif 000009